(57)【要約】【課題】サムネイル画像を使用目的に応じて効率よく振り分ける。【解決手段】ワークスペース３１は、プリント指示枠３１ａと、プリント保留枠３１ｂと、プリント不指示枠３１ｃとに区画されている。これらの各枠３１ａ〜３１ｃは横並びに並列に配置されている。これにより、各枠３１ａ〜３１ｃは一画面内に同時に表示される。プリント指示枠３１ａには、プリント指定するサムネイル画像が配置される。プリント不指示枠３１ｃには、プリント指定しないサムネイル画像が配置される。プリント保留枠３１ｂには、プリント指定するか否かが決定していないサムネイル画像が配置される。プリント指示枠３１ａの枠内に配置されたサムネイル画像３３をプリント保留枠３１ｂやプリント不指示枠３１ｃの枠内に移動させることにより、サムネイル画像３３がプリント指示を行うか否かを決定しているものと、決定していないもとに振り分けられる。【選択図】図５
2011077845.tif 000002
【特許請求の範囲】
【請求項１】
コンテンツのデータを使用するか否かによって、前記コンテンツに対応する複数のサムネイル画像を振り分けるサムネイル画像振り分け装置であって、
前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示する画像配置枠表示手段と、
前記第１の枠、前記第２の枠又は前記第３の枠に前記サムネイル画像を移動させる移動操作手段とを備えたことを特徴とするサムネイル画像振り分け装置。
【請求項２】
原画像の画像データを外部に送信又は外部から受信するか否かによって、前記原画像に対応する複数のサムネイル画像を振り分けるサムネイル画像振り分け装置であって、
前記画像データを外部に送信又は外部から受信する前記原画像の前記サムネイル画像を配置する第１の枠と、前記画像データを外部に送信又は外部から受信するか否かを決定していない前記原画像の前記サムネイル画像を配置する第２の枠と、前記画像データを外部に送信又は外部から受信しない前記原画像の前記サムネイル画像を配置する第３の枠とを一画面内に表示する画像配置枠表示手段と、
前記第１の枠、前記第２の枠又は前記第３の枠に前記サムネイル画像を移動させる移動操作手段とを備えたことを特徴とするサムネイル画像振り分け装置。
【請求項３】
前記原画像はデジタルカメラで撮影して得られた撮影画像であって、
前記第１の枠には、振り分け前の前記サムネイル画像が配置されるとともに、プリント指示して外部に送信する前記サムネイル画像が配置され、
前記第２の枠には、前記プリント指示して外部に送信するか否かを決定していない撮影画像の前記サムネイル画像が配置され、
前記第３の枠には、前記プリント指示して外部に送信しない原画像の前記サムネイル画像が配置されることを特徴とする請求項２に記載のサムネイル画像振り分け装置。
【請求項４】
前記サムネイル画像を前記枠ごとに区別して記憶することを特徴とする請求項１〜３のいずれかに記載のサムネイル画像振り分け装置。
【請求項５】
前記サムネイル画像をドラッグアンドドロップして振り分けることを特徴とする請求項１〜４のいずれかに記載のサムネイル画像振り分け装置。
【請求項６】
前記第１の枠と前記第２の枠と前記第３の枠とのそれぞれを拡縮できることを特徴とする請求項１〜５のいずれかに記載のサムネイル画像振り分け装置。
【請求項７】
コンテンツのデータを使用するか否かによって、前記コンテンツに対応する複数のサムネイル画像を振り分けるサムネイル画像振り分け方法であって、
前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示し、
前記第１の枠、前記第２の枠又は前記第３の枠に前記サムネイル画像を移動させることを特徴とするサムネイル画像振り分け方法。
【請求項８】
原画像の画像データを外部に送信又は外部から受信するか否かによって、前記原画像に対応する複数のサムネイル画像を振り分けるサムネイル画像振り分け方法であって、
前記画像データを外部に送信又は外部から受信する前記原画像の前記サムネイル画像を配置する第１の枠と、前記画像データを外部に送信又は外部から受信するか否かを決定していない前記原画像の前記サムネイル画像を配置する第２の枠と、前記画像データを外部に送信又は外部から受信しない前記原画像の前記サムネイル画像を配置する第３の枠とを一画面内に表示し、
前記第１の枠、前記第２の枠又は前記第３の枠に前記サムネイル画像を移動させることを特徴とするサムネイル画像振り分け方法。
【請求項９】
前記原画像はデジタルカメラで撮影して得られた撮影画像であって、
前記第１の枠には、振り分け前の前記サムネイル画像が配置されるとともに、プリント指示して外部に送信する前記サムネイル画像が配置され、
前記第２の枠には、前記プリント指示して外部に送信するか否かを決定していない撮影画像の前記サムネイル画像が配置され、
前記第３の枠には、前記プリント指示して外部に送信しない原画像の前記サムネイル画像が配置されることを特徴とする請求項８に記載のサムネイル画像振り分け方法。
【請求項１０】
コンテンツのデータを使用するか否かによって、前記コンテンツに対応する複数のサムネイル画像を振り分けるサムネイル画像振り分けプログラムであって、
前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示するステップと、
前記第１の枠、前記第２の枠又は前記第３の枠に前記サムネイル画像を移動させるステップとをコンピュータに実行させることを特徴とするサムネイル画像振り分けプログラム。
【請求項１１】
原画像の画像データを外部に送信又は外部から受信するか否かによって、前記原画像に対応する複数のサムネイル画像を振り分けるサムネイル画像振り分けプログラムであって、
前記画像データを外部に送信又は外部から受信する前記原画像の前記サムネイル画像を配置する第１の枠と、前記画像データを外部に送信又は外部から受信するか否かを決定していない前記原画像の前記サムネイル画像を配置する第２の枠と、前記画像データを外部に送信又は外部から受信しない前記原画像の前記サムネイル画像を配置する第３の枠とを一画面内に表示するステップと、
前記第１の枠、前記第２の枠又は前記第３の枠に前記サムネイル画像を移動させるステップとをコンピュータに実行させることを特徴とするサムネイル画像振り分けプログラム。
【発明の詳細な説明】
【技術分野】
【０００１】
本発明は、使用目的に応じてサムネイル画像を振り分けるサムネイル画像振り分け装置、方法及びプログラムに関する。
【背景技術】
【０００２】
映像、画像、音楽、ゲームといった様々なコンテンツを使用目的に応じて振り分ける方法として、サムネイル画像を振り分ける方法が知られている。サムネイル画像を振り分ける際には利用者の利便性の向上のために種々の提案がなされている。例えば特許文献１では、デジタルカメラで撮影した撮影画像をプリント指定する際に、サムネイル画像を「日付別」や「月別」に振り分けて一覧表示する、あるいは、プリント指示したサムネイル画像を一覧表示することが提案されている。また、例えば特許文献２では、デジタルカメラで撮影した複数の撮影画像を、デジタルカメラの表示画面上に複数のサムネイル画像として表示し、プリント指定するサムネイル画像をフォルダ内に格納して、フォルダ内のサムネイル画像を一覧表示することを可能にすることにより、撮影画像をデジタルカメラの表示画面上でプリント指示するものとそうでないものに振り分けることが提案されている。
【先行技術文献】
【特許文献】
【０００３】
【特許文献１】特開２００４−２５５７４０号公報
【特許文献２】特開２００５−１５１１１５号公報
【発明の概要】
【発明が解決しようとする課題】
【０００４】
ところで、サムネイル画像の振り分け作業を行っている途中で振り分け先に迷ったサムネイル画像があった場合、利用者は、振り分け先が明確になっているサムネイル画像を先行して振り分けてから、その後に振り分けに迷ったサムネイル画像を振り分けることがある。しかしながら、特許文献１，２で示されている方法でサムネイル画像を表示すると、振り分け先が明確になっているサムネイル画像の振り分けが終了してから、振り分け先に迷ったサムネイル画像を利用者の記憶を頼りに再度検索し直さなければならないため、サムネイル画像の振り分け作業が効率の悪いものとなっていた。
【０００５】
本発明は、上記課題を鑑みてなされたものであり、サムネイル画像を使用目的に応じて効率よく振り分けることができるサムネイル画像振り分け装置、方法及びプログラムを提供することを目的とする。
【課題を解決するための手段】
【０００６】
上記目的を達成するために、本発明のサムネイル画像振り分け装置は、コンテンツのデータを使用するか否かによって、前記コンテンツに対応する複数のサムネイル画像を振り分けるサムネイル画像振り分け装置であって、前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示する画像配置枠表示手段と、前記第１の枠、前記第２の枠又は前記第３の枠に前記サムネイル画像を移動させる移動操作手段とを備えたことを特徴とする。
【０００７】
また、上記目的を達成するために、本発明のサムネイル画像振り分け装置は、原画像の画像データを外部に送信又は外部から受信するか否かによって、前記原画像に対応する複数のサムネイル画像を振り分けるサムネイル画像振り分け装置であって、前記画像データを外部に送信又は外部から受信する前記原画像の前記サムネイル画像を配置する第１の枠と、前記画像データを外部に送信又は外部から受信するか否かを決定していない前記原画像の前記サムネイル画像を配置する第２の枠と、前記画像データを外部に送信又は外部から受信しない前記原画像の前記サムネイル画像を配置する第３の枠とを一画面内に表示する画像配置枠表示手段と、前記第１の枠、前記第２の枠又は前記第３の枠に前記サムネイル画像を移動させる移動操作手段とを備えたものである。
【０００８】
なお、前記原画像はデジタルカメラで撮影して得られた撮影画像であって、前記第１の枠には、振り分け前の前記サムネイル画像が配置されるとともに、プリント指示して外部に送信する前記サムネイル画像が配置され、前記第２の枠には、前記プリント指示して外部に送信するか否かを決定していない撮影画像の前記サムネイル画像が配置され、前記第３の枠には、前記プリント指示して外部に送信しない原画像の前記サムネイル画像が配置されることが好ましい。
【０００９】
また、前記サムネイル画像を前記枠ごとに区別して記憶することが好ましい。
【００１０】
また、前記サムネイル画像をドラッグアンドドロップして振り分けることが好ましい。
【００１１】
また、前記第１の枠と前記第２の枠と前記第３の枠とのそれぞれを拡縮できることが好ましい。
【００１２】
また、前記第１の枠と前記第２の枠とのそれぞれを拡縮できることが好ましい。
【００１３】
上記目的を達成するために、本発明のサムネイル画像振り分け方法は、原画像の画像データを使用するか否かによって、前記原画像に対応する複数のサムネイル画像を振り分けるサムネイル画像振り分け方法であって、前記画像データを使用する原画像の前記サムネイル画像を配置する第１の枠と、前記画像データを使用するか否かを決定する前の原画像の前記サムネイル画像を配置する第２の枠と、前記画像データを使用しない原画像の前記サムネイル画像を配置する第３の枠とを一画面内に表示し、前記第１の枠、前記第２の枠又は前記第３の枠に前記サムネイル画像を移動させることを特徴とする。
【００１４】
また、上記目的を達成するために、本発明のサムネイル画像振り分け方法は、コンテンツのデータを使用するか否かによって、前記コンテンツに対応する複数のサムネイル画像を振り分けるサムネイル画像振り分け方法であって、前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示し、前記第１の枠、前記第２の枠又は前記第３の枠に前記サムネイル画像を移動させることを特徴とする。
【００１５】
なお、前記原画像はデジタルカメラで撮影して得られた撮影画像であって、前記第１の枠には、振り分け前の前記サムネイル画像が配置されるとともに、プリント指示して外部に送信する前記サムネイル画像が配置され、前記第２の枠には、前記プリント指示して外部に送信するか否かを決定していない撮影画像の前記サムネイル画像が配置され、前記第３の枠には、前記プリント指示して外部に送信しない原画像の前記サムネイル画像が配置されることが好ましい。
【００１６】
上記目的を達成するために、本発明のサムネイル画像振り分けプログラムは、コンテンツのデータを使用するか否かによって、前記コンテンツに対応する複数のサムネイル画像を振り分けるサムネイル画像振り分けプログラムであって、前記データを使用する前記コンテンツに対応する前記サムネイル画像を配置する第１の枠と、前記データを使用するか否かを決定する前の前記コンテンツに対応する前記サムネイル画像を配置する第２の枠と、前記データを使用しない前記コンテンツに対応する前記サムネイル画像を配置する第３の枠とを一画面内に表示するステップと、前記第１の枠、前記第２の枠又は前記第３の枠に前記サムネイル画像を移動させるステップとをコンピュータに実行させることを特徴とする。
【００１７】
上記目的を達成するために、本発明のサムネイル画像振り分けプログラムは、原画像の画像データを外部に送信又は外部から受信するか否かによって、前記原画像に対応する複数のサムネイル画像を振り分けるサムネイル画像振り分けプログラムであって、前記画像データを外部に送信又は外部から受信する前記原画像の前記サムネイル画像を配置する第１の枠と、前記画像データを外部に送信又は外部から受信するか否かを決定していない前記原画像の前記サムネイル画像を配置する第２の枠と、前記画像データを外部に送信又は外部から受信しない前記原画像の前記サムネイル画像を配置する第３の枠とを一画面内に表示するステップと、前記第１の枠、前記第２の枠又は前記第３の枠に前記サムネイル画像を移動させるステップとをコンピュータに実行させることを特徴とする。
【００１８】
なお、「サムネイル画像」とは、原画像を縮小して一覧表示できるようにした画像である。また、「使用」とは、データの記録やダウンロードなどが挙げられ、例えば記録媒体を装置内に装填して記録媒体にデータを記録あるいは記録媒体からデータをダウンロードすることを含む。また、「外部に送信」する例としては、例えばプリント指示を行うためにインターネットを介して画像データを外部に送信する、あるいは、ＷＥＢサイトに原画像をアップロードするためにインターネットを介して画像データを外部に送信することが挙げられ、「外部から受信」する例としては、例えばインターネットを介して画像データをダウンロードすることが挙げられる。
【発明の効果】
【００１９】
本発明のサムネイル画像振り分け装置、方法及びプログラムによれば、画像データを使用するか否か、あるいは、画像データを外部に送信又は外部から受信する否かが明確な原画像に対応するサムネイル画像と、画像データを使用するか否か、あるいは、画像データを外部に送信又は外部から受信する否かが不明確な原画像のサムネイル画像とを同一画面内に表示することが可能になるので、画像データを使用するか、あるいは、画像データを外部に送信又は外部から受信する否かが不明確なサムネイル画像の再検索を行わなくても良くなり、サムネイル画像を効率よく振り分けることができる。
【図面の簡単な説明】
【００２０】
【図１】パーソナルコンピュータの構成を示す概略図である。
【図２】パーソナルコンピュータの内部構成を示すブロック図である。
【図３】画像一覧テーブルの構成を示す図である。
【図４】ワークテーブルの構成を示す図である。
【図５】振り分け作業前のワークスペースを示す図である。
【図６】サムネイル画像の分類処理の処理手順を示すフローチャートである。
【図７】サムネイル画像を選択して移動させるときのワークスペースを示す図である。
【図８】プリント指示枠の横幅が拡大されたワークスペースを示す図である。
【図９】プリント保留枠の横幅が拡大されたワークスペースを示す図である。
【図１０】プリント不指示枠の横幅が拡大されたワークスペースを示す図である。
【発明を実施するための形態】
【００２１】
図１に示すように、サムネイル画像振り分け装置は、パーソナルコンピュータ（以下、ＰＣと略す。）１１と、ＰＣ１１にインストールしたサムネイル画像振り分けプログラムとからなる。ＰＣ１１には、デジタルカメラ１３で撮影して得られた撮影画像の画像データが通信ケーブルや無線ＬＡＮを介してダウンロードされる。サムネイル画像振り分けプログラムを実行すると、デジタルカメラ１３の撮影画像は、モニタ１２の画面１２ａからサムネイル画像として表示される。利用者は、画面１２ａの表示を見ながらマウス１４やキーボード１５を操作してサムネイル画像に対するプリント指示を行うか否か（使用目的）によって振り分ける。これにより、撮影画像が、プリント指示する撮影画像と、プリント指示を行わない撮影画像とに振り分けられる。プリント指示する撮影画像は、インターネット１６を経由してプリント店に注文される。
【００２２】
図２に示すように、ＰＣ１１はＣＰＵ２１を備えている。ＣＰＵ２１は、マウス１４やキーボード１５から入力される操作信号などに応答してＰＣ１１の動作を制御する。ＣＰＵ２１には、データバス２２を介して、ＲＡＭ２３、ハードディスクドライブ（以下、ＨＤＤと略す。）２４、通信インターフェース（以下、通信Ｉ／Ｆと略す。）２５、表示制御部２６が接続されている。
【００２３】
ＲＡＭ２３は、ＣＰＵ２１が処理を実行するために用いられる作業用のメモリである。ＨＤＤ２４には、ＰＣ１１を動作させるための各種プログラムやデータが格納されている。ＣＰＵ２１は、ＨＤＤ２４から各種プログラムを読み出し、読み出したプログラムをＲＡＭ２３に展開してプログラムを実行する。デジタルカメラ１３での撮影画像の画像データはＨＤＤ２４に格納される。
【００２４】
通信Ｉ／Ｆ２５は、例えばモデムやルータであり、インターネット１６に適合した通信プロトコルの制御を行い、インターネット１６を経由したデータの遣り取りをする。また、通信Ｉ／Ｆ２５は、デジタルカメラ１３などの外部機器とのデータ通信も行う。表示制御部２６は、モニタ１２の画面１２ａに各種ウインドウを表示させる。
【００２５】
ＨＤＤ２４には、画像一覧テーブル２７、ワークテーブル２８、サムネイル画像振り分けプログラム２９が格納されている。
【００２６】
図３に示すように、画像一覧テーブル２７は、デジタルカメラ１３での撮影画像の画像データの取込み時に自動的に付されたＩＤ（取込み順に付される通し番号）を記憶している。ＨＤＤ２４に格納された画像データは、画像一覧テーブル２７によってＩＤ管理され、その種類が識別される。
【００２７】
図４に示すように、ワークテーブル２８には、サムネイル画像の振り分け作業中の状態が記憶される。具体的には、見出しとなるＩＤ、並びに画面１２ａでの表示位置、表示サイズ及び後述する枠３１ａ〜３１ｃの範囲が記憶される。
【００２８】
サムネイル画像の振り分けを行う際、利用者は、マウス１４やキーボード１５を操作してサムネイル画像振り分けプログラム２９を起動する。サムネイル分類プログラム２８が起動されると、表示制御部２６は、モニタ１２の画面１２ａに、サムネイル画像の振り分け作業を行うためのウインドウを立ち上げる。
【００２９】
図５に示すように、立ち上げられたウインドウ３０内にはワークスペース３１が表示され、また、ポインタ３２も同時に表示される。ポインタ３２は、マウス１４の移動に連動してワークスペース３１上を移動する。利用者は、ワークスペース３１上でポインタ３２を移動させてサムネイル画像３３の振り分け作業を行う。
【００３０】
ワークスペース３１は、プリント指示枠（第１の枠）３１ａと、プリント保留枠（第２の枠）３１ｂと、プリント不指示枠（第３の枠）３１ｃとに区画されている。これらの各枠３１ａ〜３１ｃは横並びに並列に配置されている。これにより、各枠３１ａ〜３１ｃは一画面内に同時に表示される。デフォルトでは、サムネイル画像３３の全てがプリント指示枠３１ａの枠内に配置される。枚数表示枠３１ｄには、各枠内に配置されたサムネイル画像３３の枚数が表示される。
【００３１】
プリント指示枠３１ａには、プリント指定するサムネイル画像が配置される。プリント不指示枠３１ｃには、プリント指定しないサムネイル画像が配置される。プリント保留枠３１ｂには、プリント指定するか否かを決定していないサムネイル画像が配置される。プリント指示枠３１ａの枠内に配置されたサムネイル画像３３をプリント保留枠３１ｂやプリント不指示枠３１ｃの枠内に移動させることにより、サムネイル画像３３がプリント指示を行うか否かを決定しているものと、決定していないもとに振り分けられる。
【００３２】
ウインドウ３０内には、ワークスペース３１の他に、保存ボタン３４、注文ボタン３５が配置されている。保存ボタン３４をクリックすると、ワークスペース３１上でのサムネイル画像３３の各枠３１ａ〜３１ｃへの振り分け状態がワークテーブル２８に記憶される。注文ボタン３５をクリックすると、プリント指示枠３１ａの枠内に配置されたサムネイル画像３３に対応する撮影画像に対するプリント指示が行われ、撮影画像のプリントがインターネット１６を経由してプリント店に注文される。なお、注文ボタン３５をクリックしても、プリント不指示枠３１ｃのみならず、プリント保留枠３１ｂに配置されたサムネイル画像３３に対応する撮影画像にもプリント指示は行われない。
【００３３】
次に、ＰＣ１１によるサムネイル画像分類処理の処理手順について説明する。
【００３４】
図６〜図１０に示すように、利用者はマウス１４やキーボード１５の操作によってサムネイル画像振り分けプログラム２９が実行する。これに応答して、モニタ１２の画面１２ａにウインドウ３０を立ち上げ、全てのサムネイル画像３３をプリント指示枠３１ａの枠内に表示する。このように、デフォルトで、全てのサムネイル画像３３をプリント指示枠３１ａの枠内に表示すれば、振り分け前のサムネイル画像３３を配置する枠を別個に設けなくてもよくなり、画面上のスペースを効率よく使用できる。また、プリント指示枠３１ａに配置することが決定しているサムネイル画像３３は移動させる必要がないので、サムネイル画像３３の振り分け作業を効率良く行うことができる。
【００３５】
いずれかの枠３１ａ〜３１ｃにポインタ３２を重ねると、その枠の横幅を他の枠よりも広くする。また、横幅が広がった枠の枠内に配置されたサムネイル画像の表示サイズを、他の枠に配置されたサムネイル画像よりも表示サイズが大きくする。さらに、ポインタ３２が重ねられた枠の枠内は白色無地にし、ポインタ３２が重ねられていない枠の枠内は灰色無地にする。これにより、サムネイル画像３３の視認性が高まり、サムネイル画像３３の確認が容易になる。
【００３６】
利用者は、サムネイル画像３３にポインタ３２を重ねてサムネイル画像３３をドラッグすることにより、移動させるサムネイル画像３３を１枚選択できる。サムネイル画像３３が１枚選択された場合には、選択されたサムネイル画像３３の周縁を緑色の枠で囲むとともに、選択されたサムネイル画像３３に選択マーク３９を付する。また、利用者は、範囲指定によって複数枚のサムネイル画像３３をドラッグすることにより、移動させるサムネイル画像３３を選択できる。サムネイル画像３３が複数枚選択された場合には、その範囲内を緑色にし、選択されたサムネイル画像３３の周縁が緑色の枠を囲むとともに、選択されたサムネイル画像３３に選択マーク３９を付する。
【００３７】
サムネイル画像３３をドラッグした状態で移動先の枠内にポインタ３２を移動させる。このとき、ポインタ３２が重なった枠の枠内を緑色にする。ドラッグしたサムネイル画像３３をドロップすると、サムネイル画像３３がドロップ先の枠内に移動する。サムネイル画像３３の移動に併せて、移動先の枠がいずれであるか及び各画像の位置をワークテーブル２８に記憶させる。また、枚数表示枠３１ｄでのサムネイル画像３３の表示枚数を変更する。
【００３８】
利用者は、プリント指示するか否かが決定しているサムネイル画像３３をプリント指示枠３１ａとプリント不指示枠３１ｃの枠内に配置しながら、プリント指定するか否かが決定していないサムネイル画像３３をプリント保留枠３１ｂに配置する。そして、各枠３１ａ〜３１ｃへの配置を終えた後は、プリント保留枠３１ｂからプリント指示枠３１ａ又はプリント不指示枠３１ｃの枠内にサムネイル画像３３を追加できる。これにより、各枠３１ａ〜３１ｃは一画面内に同時に表示されるので、例えば各枠３１ａ〜３１ｃに配置されたサムネイル画像３３の枚数のバランスを考慮するなど、利用者の事情に併せて、サムネイル画像３３の振り分け先を決定でき、また、振り分け先が明確でないムネイル画像３３を再検索することなく、効率よく振り分け作業を行うことができる。
【００３９】
保存ボタン３４がクリックされると、ワークスペース３１上でのサムネイル画像３３の振り分け状態をワークテーブル２８に記憶させる。ワークスペース３１上での各サムネイル画像３３の振り分け状態は利用者がファイル名を指定したファイルに保存される。ファイル一覧を開いて保存したファイルをダブルクリックすると、保存したワークスペース３１の状態を再度表示させることができる。
【００４０】
注文ボタン３５がクリックされると、プリント指示を行って良いか否かの確認メッセージを表示する。ここで、プリント指示を行って良いことが利用者によって指示されると、インターネット１６を経由して、プリント指示枠３１ａに配置されているサムネイル画像３３に対応する撮影画像の画像データのみがプリント店に送信される。これにより、原画像のプリントをプリント店に注文することができる。
【００４１】
上記実施形態では、プリント指示枠３１ａ、プリント保留枠３１ｂ、プリント不指示枠３１ｃの３つの枠を設けたが、例えば焼き増しを行う撮影画像のサムネイル画像を配置する焼き増しプリント枠を設けるなど、枠の数は適宜数に設定してよい。なお、焼き増しプリント枠を設ける場合には、プリント指示枠３１ａに配置されたサムネイル画像をコピーして焼き増しプリント枠に配置することが好ましい。
【００４２】
上記実施形態では、プリント指示枠３１ａに配置されたサムネイル画像３３を各１枚プリント指示したが、サムネイル画像３３ごとのプリント枚数を個別に設定できるようにしてもよい。
【００４３】
上記実施形態では、プリント指示を行うか否かの振り分け作業を行ったが、例えば記録媒体にサムネイル画像で示された画像データを記録するか否かの振り分け作業やインターネットを経由して画像データをダウンロードする際のサムネイル画像の振り分け作業など、振り分け作業の態様は適宜態様にしてよい。なお、コンテンツとしては、映像、音楽、ゲームなどが挙げられ、原画像としては撮影画像に限らず、インターネットを経由してダウンロードした画像や記録媒体からダウンロードした画像などが挙げられる。
【００４４】
上記実施形態では、インターネットを経由してプリント指示を行い、撮影画像の画像データを外部に送信する例を挙げたが、例えば利用者が所有するプリンタへのプリント指示、プリント注文店に設置された店頭端末機でのプリント指示を行う場合にも本発明を適用できる。
【００４５】
上記実施形態では、サムネイル画像振り分け装置としてＰＣ１１を例に挙げたが、プリント注文店に設置された店頭端末機、フォトストレージ、デジタルカメラ、携帯電話機といったコンテンツを取り扱うその他の電子機器に本発明を適用することも可能である。
【符号の説明】
【００４６】
１１  パーソナルコンピュータ（ＰＣ）
１２  モニタ
１２ａ  画面
１４  マウス
１５  キーボード
２１  ＣＰＵ
２６  表示制御部
２７  ワークテーブル
２８  サムネイル画像振り分けプログラム
３０  ウインドウ
３１  ワークスペース
３１ａ  プリント指示枠
３１ｂ  プリント保留枠
３１ｃ  プリント不指示枠
３３  サムネイル画像
【図１】
2011077845.tif 000003
【図２】
2011077845.tif 000004
【図３】
2011077845.tif 000005
【図４】
2011077845.tif 000006
【図５】
2011077845.tif 000007
【図６】
2011077845.tif 000008
【図７】
2011077845.tif 000009
【図８】
2011077845.tif 000010
【図９】
2011077845.tif 000011
【図１０】
2011077845.tif 000012